(57)【要約】【課題】Ｄ級増幅器の出力段に並列接続して設けられた複数のパワーＭＯＳトランジスタをほぼ同時的にスイッチングさせる駆動回路を構成することが可能な半導体装置を提供すること。【解決手段】第１および第２の入力端子には、Ｄ級増幅器の内部でＰＷＭ変調されたパルス信号の同相信号および逆相信号が印加される。第１および第２の入力端子にはコンパレータの入力部が接続され、このコンパレータの出力部は第１の出力端子に接続される。第３の入力端子にはバッファの入力部が接続され、その出力部は第２の出力端子に接続される。この第２の出力端子には、Ｄ級増幅器の出力段に並列接続して設けられた複数のパワーＭＯＳトランジスタの何れかのゲートが接続される。このような構成を有する半導体装置３０３ＨＡ〜３０３ＨＣ，３０３ＬＡ〜３０３ＬＣを用いて駆動回路を構成する。【選択図】　　　図４
2004056211.tif 000002
【特許請求の範囲】
【請求項１】
低インピーダンス負荷を駆動するＤ級増幅器の出力段に設けられたパワーＭＯＳトランジスタを駆動するためのドライバとして使用される半導体装置であって、
前記Ｄ級増幅器の内部でＰＷＭ変調されたパルス信号の同相信号および逆相信号をそれぞれ入力するための第１および第２の入力端子と、
前記第１および第２の入力端子に入力部が接続されたコンパレータと、
前記コンパレータの出力部に接続された第１の出力端子と、
前記コンパレータの出力信号に相当する信号を外部から入力するための第３の入力端子と、
前記第３の入力端子に入力部が接続されたバッファと、
前記パワーＭＯＳトランジスタのゲートが接続されるべき出力端子であって前記バッファの出力部に接続された第２の出力端子と、
を備えたことを特徴とする半導体装置。
【請求項２】
互いに並列接続された複数の出力用トランジスタを有してなり、外部から入力された信号に含まれる情報成分をパルス幅に反映させてパルス信号に変調し、該パルス信号に基づき前記複数の出力用トランジスタを導通させて外部の低インピーダンス負荷を駆動するＤ級増幅器において、
前記複数の出力用トランジスタを駆動するための駆動回路として、
請求項１に記載された半導体装置からなり、前記第１および第２の入力端子に、前記情報成分がパルス幅に反映されたパルス信号の同相信号および逆相信号が与えられ、前記第１の出力端子と前記第３の入力端子とが接続され、前記第２の出力端子に前記複数の出力用トランジスタの何れか一つのゲートが接続された第１の半導体装置と、
請求項１に記載された半導体装置からなり、前記第１および第２の入力端子が所定の電圧に共通に固定され、前記第３の入力端子に前記第１の半導体装置をなす前記第１の出力端子が接続され、前記第２の出力端子に前記複数の出力用トランジスタの他のゲートが接続された複数の第２の半導体装置と、
を備えたことを特徴とするＤ級増幅器。
【請求項３】
互いに並列接続された複数の出力用トランジスタを有してなり、前記出力トランジスタにより外部の低インピーダンス負荷を駆動するように構成されたＤ級増幅器において、
外部から入力された信号に含まれる情報成分をパルス幅に反映させてパルス信号に変調する変調回路と、
前記パルス信号の同相信号および逆相信号からなる第１の相補信号を生成して出力する相補信号生成回路と、
前記同相信号と前記逆相信号との間の大小関係を維持したまま、前記第１の相補信号を、前記出力用トランジスタのソース電圧を基準とした所定の電圧に追従する第２の相補信号にレベル変換する信号変換回路と、
前記ソース電圧を基準とした内部電源で作動し、前記第２の相補信号を入力して該第２の相補信号に含まれる同相信号と逆相信号との大小関係に基づき前記複数の出力用トランジスタを駆動する駆動回路と、
を備え、
前記駆動回路として、
請求項１に記載された半導体装置からなり、前記第１および第２の入力端子に前記第２の相補信号に含まれる同相信号および逆相信号が与えられ、前記第１の出力端子と前記第３の入力端子とが接続され、前記第２の出力端子に前記複数の出力用トランジスタの何れか一つのゲートが接続された第１の半導体装置と、
請求項１に記載された半導体装置からなり、前記第１および第２の入力端子が所定の電圧に共通に固定され、前記第３の入力端子に前記第１の半導体装置をなす前記第１の出力端子が接続され、前記第２の出力端子に前記複数の出力用トランジスタの他のゲートが接続された複数の第２の半導体装置と、
を備えたことを特徴とするＤ級増幅器。
【請求項４】
前記信号変換回路が、
前記第１の相補信号が現れる前記信号変換回路の一対の出力部と前記第２の相補信号が現れる前記駆動回路の一対の入力部との間に接続された一対の第１の抵抗と、
一端側が前記駆動回路の一対の入力部に接続された一対の第２の抵抗と、
前記一対の第２の抵抗の他端側を前記所定の電圧にバイアスするバイアス回路と、
を備えたことを特徴とする請求項３に記載されたＤ級増幅器。
【発明の詳細な説明】
【０００１】
【発明の属する技術分野】
この発明は、半導体装置に関し、特にＤ級増幅器（デジタルアンプ）の出力段に設けられたパワーＭＯＳトランジスタを駆動するためのドライバに関する。
【０００２】
【従来の技術】
従来、音楽信号などのアナログ信号を入力信号とし、これをパルス信号に変換して電力増幅するＤ級増幅器が知られており、その出力端子には、ローパスフィルタを介してスピーカの入力端子が接続される。このＤ級増幅器によれば、入力信号の振幅（情報成分）がパルス幅に反映されて電力増幅されたパルス信号が出力される。そして、このパルス信号がローパスフィルタを通過することにより、電力増幅されたアナログ量の音楽信号が抽出され、この音楽信号がスピーカを駆動する。Ｄ級増幅器は、シリコンチップ上に形成することができるため、小型かつ安価に実現することができ、低消費電力が要求される携帯端末やパソコンなどに多用されている。
【０００３】
図７に、従来技術に係るＤ級増幅器９００の構成例を示す。同図において、信号源ＳＩＧは、接地電位（０Ｖ）を振幅の中点とするアナログ量の音楽信号ＶＩＮの発生源であり、図示しない入力コンデンサを介してＤ級増幅器９００の入力端子ＴＩに接続される。Ｄ級増幅器９００は、いわゆるＰＷＭ増幅器（ＰＷＭ；Ｐｕｌｓｅ　Ｗｉｄｔｈ　Ｍｏｄｕｌａｔｉｏｎ）であって、入力段９０１、変調回路９０２、駆動回路９０３、および出力用のパワーＭＯＳトランジスタ９０４，９０５（ｎ型）からなる。
【０００４】
入力段９０１は、音楽信号ＶＩＮの中点を移動させて、電源ＶＤＤ（例えば１０Ｖ）で動作する変調回路９０２の入力特性に適合する波形に音楽信号ＶＩＮを変換するものである。変調回路９０２は、入力段９０１から出力された音楽信号をパルス信号に変換するものであり、ＰＷＭ変調により音楽信号の情報成分をパルス幅に反映させる。駆動回路９０３は、変調回路９０２により変調されたパルス信号に基づき、出力用のパワーＭＯＳトランジスタ９０４，９０５を相補的に駆動制御するものである。
【０００５】
パワーＭＯＳトランジスタ９０４は、ハイレベルを出力するためのものであり、正電源ＶＰＰ＋（例えば＋５０Ｖ）と出力端子ＴＯとの間に電流経路が接続される。また、パワーＭＯＳトランジスタ９０５は、ローレベルを出力するためのものであり、負電源ＶＰＰ−（例えば−５０Ｖ）と出力端子ＴＯとの間に電流経路が接続される。出力端子ＴＯには、インダクタＬとコンデンサＣとからなるローパスフィルタを介してスピーカＳＰＫの入力端子が接続される。
【０００６】
このＤ級増幅器９００によれば、信号源ＳＩＧから入力された音楽信号ＶＩＮが、入力段９０１および変調回路９０２を経てパルス信号に変換される。このパルス信号は、音楽信号ＶＩＮに応じてキャリア信号をパルス幅変調することにより生成される。駆動回路９０３は、パルス幅変調されたパルス信号に基づきパワーＭＯＳトランジスタ９０４，９０５を相補的に導通制御し、出力端子ＴＯに電力増幅されたパルス信号を出力する。この電力増幅されたパルス信号は、インダクタＬおよびコンデンサＣからなるローパスフィルタによりキャリア周波数成分が除去され、アナログ量の音楽信号となってスピーカＳＰＫに供給される。
【０００７】
【発明が解決しようとする課題】
ところで、一般には上述した例のように、単一のパワーＭＯＳトランジスタ９０４によりハイレベルを出力し、同じく単一のパワーＭＯＳトランジスタ９０５によりローレベルを出力している。各パワーＭＯＳトランジスタのオン抵抗は、耐圧が高くなるほど大きくなる傾向を有しており、このオン抵抗は出力段での損失の原因となる。出力電力が１００Ｗ程度のＤ級増幅器の場合、出力段のパワーＭＯＳトランジスタの耐圧は１００Ｖ程度で足りるため、そのオン抵抗は小さく、出力段での損失は顕在化しない。これに対し、出力電力が１ｋＷ程度にまで高くなると、出力電力が１００Ｗの場合に比較して出力段のパワーＭＯＳトランジスタに数倍の電流を流す必要があり、出力段の電源電圧が高く設定される。従って、出力段には高耐圧のパワーＭＯＳトランジスタが用いられる。このため、出力段において、オン抵抗の大きな単一のパワーＭＯＳトランジスタに大きな出力電流が集中的に流れることとなり、損失が大きくなるという不都合がある。
【０００８】
この種の問題を回避するための手法として、複数のパワーＭＯＳトランジスタを並列接続してＤ級増幅器の出力段を構成する手法が考えられる。この手法によれば、出力電流が複数のパワーＭＯＳトランジスタに分散されるため、パワーＭＯＳトランジスタのオン抵抗による損失を抑えることが可能になる。
このように並列接続された複数のパワーＭＯＳトランジスタを駆動する手法として、図７に示す駆動制御回路９０３の駆動能力を、並列接続された複数のパワーＭＯＳトランジスタのゲートを駆動し得る能力に設定し、各パワーＭＯＳトランジスタのゲートを並列接続する手法が考えられる。この手法の場合、パワーＭＯＳトランジスタの並列接続数に応じて複数の駆動制御回路９０３を用意するか、或いは駆動制御回路９０３の駆動能力を、想定するパワーＭＯＳトランジスタの最大並列接続数に合わせて設定する必要がある。何れにしても、出力電力に応じた製品の最適化設計の観点からすれば構成が冗長となり、無駄が多くなる。
そこで、単一のパワーＭＯＳトランジスタを前提として駆動能力が最適化された駆動制御回路９０３を各パワーＭＯＳトランジスタ毎に設ける手法が考えられる。しかし、この手法によれば、各パワーＭＯＳトランジスタのスイッチングのタイミングに大きなずれが存在すると、出力電流が１つのパワーＭＯＳトランジスタに集中する。この結果、パワーＭＯＳトランジスタのオン抵抗が顕在化し、損失を有効に抑えることができなくなる虞がある。
【０００９】
この発明は、上記事情に鑑みてなされたもので、Ｄ級増幅器の出力段に互いに並列接続して設けられた複数のパワーＭＯＳトランジスタをほぼ同時的にスイッチングさせるようにパワーＭＯＳトランジスタの駆動回路を構成することが可能な半導体装置を提供することを第１の目的とし、Ｄ級増幅器の出力段に互いに並列接続して設けられた複数のパワーＭＯＳトランジスタがスイッチングするタイミングのずれを小さく抑えることが可能なＤ級増幅器を提供することを第２の目的とする。
【００１０】
【課題を解決するための手段】
上記課題を解決するため、この発明は以下の構成を有する。
即ち、請求項１に記載された発明は、低インピーダンス負荷を駆動するＤ級増幅器の出力段に設けられたパワーＭＯＳトランジスタを駆動するためのドライバとして使用される半導体装置であって、前記Ｄ級増幅器の内部でＰＷＭ変調されたパルス信号の同相信号および逆相信号をそれぞれ入力するための第１および第２の入力端子（例えば後述する入力端子ＴＩＮＰ，ＴＩＮＮに相当する構成要素）と、前記第１および第２の入力端子に入力部が接続されたコンパレータ（例えば後述するコンパレータＣＭ１に相当する構成要素）と、前記コンパレータの出力部に接続された第１の出力端子（例えば後述する出力端子ＴＣＫＯＵＴに相当する構成要素）と、前記コンパレータの出力信号に相当する信号を外部から入力するための第３の入力端子（例えば後述する入力端子ＴＣＫＩＮに相当する構成要素）と、前記第３の入力端子に入力部が接続されたバッファ（例えば後述するバッファＢ１４に相当する構成要素）と、前記パワーＭＯＳトランジスタのゲートが接続されるべき出力端子であって前記バッファの出力部に接続された第２の出力端子（例えば後述する出力端子ＴＯＵＴに相当する構成要素）と、を備えたことを特徴とする。
【００１１】
この構成によれば、コンパレータの出力を外部に引き出すことが可能になり、またバッファの入力を外部から引き込むことが可能になる。このため、この発明に係る半導体装置を複数用いることにより、一つの半導体装置のコンパレータを、他の半導体装置のバッファで共用することが可能になる。従って、仮にコンパレータに遅延が存在していても、各バッファの出力信号にコンパレータの遅延が同様に反映されるので、結果として各バッファの出力信号間でタイミング上のずれが小さく抑えられる。よって、各バッファに接続された複数の出力用トランジスタのスイッチングのタイミングを合わせることが可能になり、一つの出力用トランジスタに出力電流が集中することがなくなる。
【００１２】
請求項２に記載された発明は、互いに並列接続された複数の出力用トランジスタを有してなり、外部から入力された信号に含まれる情報成分をパルス幅に反映させてパルス信号に変調し、該パルス信号に基づき前記複数の出力用トランジスタを導通させて外部の低インピーダンス負荷を駆動するＤ級増幅器において、前記複数の出力用トランジスタを駆動するための駆動回路として、請求項１に記載された半導体装置からなり、前記第１および第２の入力端子に、前記情報成分がパルス幅に反映されたパルス信号の同相信号および逆相信号が与えられ、前記第１の出力端子と前記第３の入力端子とが接続され、前記第２の出力端子に前記複数の出力用トランジスタの何れか一つのゲートが接続された第１の半導体装置と、請求項１に記載された半導体装置からなり、前記第１および第２の入力端子が所定の電圧に共通に固定され、前記第３の入力端子に前記第１の半導体装置をなす前記第１の出力端子が接続され、前記第２の出力端子に前記複数の出力用トランジスタの他のゲートが接続された複数の第２の半導体装置と、を備えたことを特徴とする。
【００１３】
請求項３に記載された発明は、互いに並列接続された複数の出力用トランジスタを有してなり、前記出力トランジスタにより外部の低インピーダンス負荷を駆動するように構成されたＤ級増幅器において、外部から入力された信号に含まれる情報成分をパルス幅に反映させてパルス信号に変調する変調回路と、前記パルス信号の同相信号および逆相信号からなる第１の相補信号を生成して出力する相補信号生成回路と、前記同相信号と前記逆相信号との間の大小関係を維持したまま、前記第１の相補信号を、前記出力用トランジスタのソース電圧を基準とした所定の電圧に追従する第２の相補信号にレベル変換する信号変換回路と、前記ソース電圧を基準とした内部電源で作動し、前記第２の相補信号を入力して該第２の相補信号に含まれる同相信号と逆相信号との大小関係に基づき前記複数の出力用トランジスタを駆動する駆動回路と、を備え、前記駆動回路として、請求項１に記載された半導体装置からなり、前記第１および第２の入力端子に前記第２の相補信号に含まれる同相信号および逆相信号が与えられ、前記第１の出力端子と前記第３の入力端子とが接続され、前記第２の出力端子に前記複数の出力用トランジスタの何れか一つのゲートが接続された第１の半導体装置と、請求項１に記載された半導体装置からなり、前記第１および第２の入力端子が所定の電圧に共通に固定され、前記第３の入力端子に前記第１の半導体装置をなす前記第１の出力端子が接続され、前記第２の出力端子に前記複数の出力用トランジスタの他のゲートが接続された複数の第２の半導体装置と、を備えたことを特徴とする。
【００１４】
請求項４に記載された発明は、請求項３に記載されたＤ級増幅器において、前記信号変換回路が、前記第１の相補信号が現れる前記信号変換回路の一対の出力部と前記第２の相補信号が現れる前記駆動回路の一対の入力部との間に接続された一対の第１の抵抗と、一端側が前記駆動回路の一対の入力部に接続された一対の第２の抵抗と、前記一対の第２の抵抗の他端側を前記所定の電圧にバイアスするバイアス回路と、を備えたことを特徴とする。
【００１５】
【発明の実施の形態】
図１に、この実施の形態に係るＤ級増幅器ＤＡＭＰの構成例を示す。同図において、信号源ＳＩＧは、接地電位（０Ｖ）を振幅の中点とした振幅を有する音楽信号（アナログ量）の発生源であり、この音楽信号は入力コンデンサＣＩＮを介して音楽信号ＶＩＮとしてＤ級増幅器ＤＡＭＰの入力端子ＴＩに与えられる。Ｄ級増幅器ＤＡＭＰは、低インピーダンス負荷を駆動するいわゆるＰＷＭ増幅器であって、入力段１００、変調回路２００、駆動制御回路３００、および複数のｎ型のパワーＭＯＳトランジスタ４０１Ａ〜４０１Ｃ，４０２Ａ〜４０２Ｃから構成される。
【００１６】
以下、構成を詳細に説明する。初段には入力段１００が設けられ、この入力段１００は入力抵抗Ｒ１と帰還抵抗Ｒ２（＝Ｒ１）とオペアンプＯＰとから構成される。ここで、入力抵抗Ｒ１の一端はオペアンプＯＰの反転入力部（−）に接続され、その他端は入力端子ＴＩに接続される。帰還抵抗Ｒ２は、オペアンプＯＰの反転入力部と出力部との間に接続される。また、オペアンプＯＰの非反転入力部には、基準電圧ＶＲＥＦが印加される。この基準電圧ＶＲＥＦは、図示しない電圧発生部で発生されたもので、例えば標準の電源ＶＤＤが供給する電圧を抵抗分割して発生され、電源ＶＤＤの２分の１に設定される。
【００１７】
この入力段１００は、増幅率「（Ｒ２／Ｒ１＝）１」の反転増幅器として機能し、基準信号ＶＲＥＦを中点として音楽信号ＶＩＮの位相を反転させた信号を出力する。これにより、信号原ＳＩＧから入力した音楽信号ＶＩＮを、後段側の変調回路２００の入力特性に適合する信号に変換する。
なお、この実施の形態では、電源ＶＤＤの電圧を「＋１０Ｖ」とし、この技術分野において標準的な電源電圧とする。また、入力段１００の後段には変調回路２００が設けられる。この変調回路２００は、前述の従来技術に係る変調回路９０２と同様に構成され、前段の入力段１００から出力された音楽信号をパルス信号に変換するものであり、この音楽信号の情報成分をパルス幅に反映させてＰＷＭ変調を行う。以下の説明では、ＰＷＭ変調されて変調回路２００から出力されたパルス信号を「ＰＷＭ信号」と称す。
【００１８】
さらに、変調回路２００の後段には駆動制御回路３００が設けられる。この駆動制御回路３００は、後述するドライバ用の半導体装置を用いて構成され、変調回路２００から出力されたＰＷＭ信号から相補信号（同相信号および逆相信号）を生成し、この相補信号をなす同相信号と逆相信号とに基づきパワーＭＯＳトランジスタ４０１Ａ〜４０１ＣとパワーＭＯＳトランジスタ４０２Ａ〜４０２Ｃを相補的に駆動制御する。この詳細については後述する。
そして、出力段として複数のパワーＭＯＳトランジスタ４０１Ａ〜Ｃおよび複数のパワーＭＯＳトランジスタ４０２Ａ〜４０２Ｃが設けられる。このうち、パワーＭＯＳトランジスタ４０１Ａ〜４０１Ｃは、出力端子ＴＯにハイレベルを出力するためのものであり、正電源ＶＰＰ＋と出力端子ＴＯとの間に並列接続される。一方のパワーＭＯＳトランジスタ４０２Ａ〜４０２Ｃは、出力端子ＴＯにローレベルを出力するためのものであって、出力端子ＴＯと負電源ＶＰＰ−との間に並列接続される。この実施の形態１では、正電源ＶＰＰ＋の電圧を「＋５０Ｖ」とし、負電源ＶＰＰ−の電圧を「−５０Ｖ」とする。
【００１９】
なお、出力端子ＴＯには、インダクタＬおよびコンデンサＣからなるローパスフィルタを介してスピーカＳＰＫの一方の入力端子が接続され、このスピーカＳＰＫの他方の入力端子は接地される。インダクタＬおよびコンデンサＣからなるローパスフィルタの定数は、出力端子ＴＯを介してＤ級増幅器ＤＡＭＰから出力されるパルス信号からキャリア周波数成分を除去し、かつ音楽信号成分を通過させるように設定される。
上述のように、このＤ級増幅器ＤＡＭＰは、標準の電源ＶＤＤ、正電源ＶＰＰ＋、負電源ＶＰＰ−の３電源で動作する。
【００２０】
次に、駆動制御回路３００の構成を詳細に説明する。図２に、駆動制御回路３００の構成を示す。同図において図１に示す構成要素と共通する要素には同一符号を付す。同図に示すように、駆動制御回路３００は、一方のパワーＭＯＳトランジスタ４０１Ａ〜４０１Ｃを駆動するための回路系（以下、ハイサイドドライバと称す。）として、相補信号生成回路３０１Ｈ、信号変換回路３０２Ｈ、および駆動回路３０３Ｈを備え、他方のパワーＭＯＳトランジスタ４０２Ａ〜４０２Ｃを駆動するための回路系（以下、ローサイドドライバと称す。）として、相補信号生成回路３０１Ｌ、信号変換回路３０２Ｌ、および駆動回路３０３Ｌを備える。パワーＭＯＳトランジスタ４０１Ａ〜４０１ＣのソースとパワーＭＯＳトランジスタ４０２Ａ〜４０２Ｃのドレインとの接続点に現れる信号は、このＤ級増幅器ＤＡＭＰの出力信号ＯＵＴとされ、上述の出力端子ＴＯを介して外部に出力される。
【００２１】
続いて、ハイサイドドライバの構成を詳細に説明する。相補信号生成回路３０１Ｈは、上述の変調回路２００から出力されたＰＷＭ信号の同相信号Ｈ１および逆相信号Ｈ２を生成するものであり、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）構成のバッファＢ１１，Ｂ１２および反転入力型のバッファ（インバータ）Ｂ１３から構成される。ここで、バッファＢ１１の入力部には、変調回路２００からＰＷＭ信号が与えられ、その出力部はバッファＢ１２，Ｂ１３の入力部に共通に接続される。これらバッファＢ１１，Ｂ１２，Ｂ１３は電源ＶＤＤが供給されて作動し、バッファＢ１２，Ｂ１３からＰＷＭ信号の同相信号Ｈ１と逆相信号Ｈ２とがそれぞれ出力される。これら同相信号Ｈ１および逆相信号Ｈ２は、相補信号（Ｈ１，Ｈ２）として信号変換回路３０２Ｈに出力される。
【００２２】
信号変換回路３０２Ｈは、同相信号Ｈ１および逆相信号Ｈ２を、パワーＭＯＳトランジスタ４０１Ａ〜４０１Ｃのソース電圧ＶＳ（即ち出力信号ＯＵＴの信号レベル）を基準とした所定電圧ＶＲ１に追従する同相信号Ｈ３および逆相信号Ｈ４にレベル変換するものであり、一対の抵抗Ｒ１１，Ｒ１２、一対の抵抗Ｒ１３，Ｒ１４、およびバイアス回路Ｐ１１から構成される。同相信号Ｈ３および逆相信号Ｈ４は、後段側の駆動回路３０３ＨをなすコンパレータＣＭ１の一対の入力部（非反転入力部および反転入力部）に与えられる。
【００２３】
ここで、同相信号Ｈ１および逆相信号Ｈ２が現れるバッファＢ１２，Ｂ１３の一対の出力部と、同相信号Ｈ３および逆相信号Ｈ４が現れるコンパレータＣＭ１の一対の入力部との間には、一対の抵抗Ｒ１１，Ｒ１２が接続される。即ち、抵抗Ｒ１１の一端はバッファＢ１２の出力部に接続され、その他端はコンパレータＣＭ１の非反転入力部に接続される。また、抵抗Ｒ１２の一端はバッファＢ１３の出力部に接続され、その他端はコンパレータＣＭ１の反転入力部に接続される。これら抵抗Ｒ１１，Ｒ１２は、相補信号生成回路３０１Ｈから駆動回路３０３Ｈに同相信号Ｈ１および逆相信号Ｈ２を伝送するための線路を形成する。
【００２４】
また、コンパレータＣＭ１の一対の入力部には、一対の抵抗Ｒ１３，Ｒ１４の一端がそれぞれ接続され、この抵抗Ｒ１３，Ｒ１４の他端はバイアス回路Ｐ１１によりパワーＭＯＳトランジスタ４０１のソース電圧ＶＳを基準とした所定電圧ＶＲ１にバイアスされている。この実施の形態では、所定電圧ＶＲ１は、ソース電圧ＶＳに電源ＶＤＤの２分の１を加えた値（＝ＶＳ＋ＶＤＤ／２）に設定するものとする。いま、電源ＶＤＤは１０Ｖであるから、その半分の５Ｖをソース電圧ＶＳに加算した電圧が所定電圧ＶＲ１となる。
【００２５】
図３に、バイアス回路Ｐ１１の構成例を示す。同図に示すように、正電源ＶＰＰ＋と上述のソース電圧ＶＳが現れるノード（即ちパワーＭＯＳトランジスタ４０１のソース）との間に、抵抗ＰＲおよび定電圧ダイオードＰＤが直列接続され、定電圧ダイオードＰＤと並列に安定化コンデンサＰＣが接続され、抵抗ＰＲと定電圧ダイオードＰＤとの接続点に現れる電圧が所定電圧ＶＲ１とされる。この実施の形態１では、定電圧ダイオードＰＤの降伏電圧は電源ＶＤＤ（１０Ｖ）の２分の１に相当する５Ｖに設定されており、これにより、上述の所定電圧ＶＲ１としてソース電圧ＶＳに電源ＶＤＤの２分の１を加えた値（＝ＶＳ＋ＶＤＤ／２）を発生するものとなっている。
【００２６】
ここで、説明を図２に戻し、駆動回路３０３Ｈの構成を説明する。
駆動回路３０３Ｈは、パワーＭＯＳトランジスタ４０１Ａ〜４０１Ｃを駆動制御するものであり、コンパレータＣＭ１、バッファＢ１４Ａ〜Ｂ１４Ｃ、および内部電源Ｐ１２から構成される。ここで、コンパレータＣＭ１の非反転入力部は抵抗Ｒ１１を介してバッファＢ１２の出力部に接続され、その反転入力部は抵抗Ｒ１２を介してバッファＢ１３の入力部に接続される。またコンパレータＣＭ１の出力部はバッファＢ１４Ａ〜Ｂ１４Ｃの入力部に共通接続され、これらバッファＢ１４Ａ〜Ｂ１４Ｃの出力部は上述のパワーＭＯＳトランジスタ４０１Ａ〜４０１Ｃのゲートにそれぞれ接続される。
【００２７】
内部電源Ｐ１２は、パワーＭＯＳトランジスタ４０１Ａ〜４０１Ｃのソース電圧ＶＳを基準として、電源ＶＤＤの電圧に相当する電圧ＶＤ１を発生するものであり、基本的には上述の図２に示すバイアス回路と同様に構成される。ただしこの場合の定電圧ダイオードＰＤの降伏電圧は電源ＶＤＤの電圧に相当する１０Ｖに設定される。この内部電源Ｐ１２は、ソース電圧ＶＳを基準として電源ＶＤＤに相当する電圧ＶＤ１（１０Ｖ）を発生し、上述のコンパレータＣＭ１とバッファＢ１４Ａ〜Ｂ１４Ｃに供給する。従って、駆動回路３０３Ｈの電源系は、パワーＭＯＳトランジスタ４０１Ａ〜４０１Ｃのソース電圧ＶＳに追従して変化すると共に、ソース電圧ＶＳを基準として動作するコンパレータＣＭ１およびバッファＢ１４Ａ〜Ｂ１４Ｃに関する限り電源ＶＤＤと等価な電源として振る舞う。以上により、パワーＭＯＳトランジスタ４０１Ａ〜４０１Ｃを駆動するためのハイサイドドライバの構成を説明した。
【００２８】
続いて、パワーＭＯＳトランジスタ４０２Ａ〜４０２Ｃを駆動するためのローサイドドライバの構成を説明する。ローサイドドライバを構成する相補信号生成回路３０１Ｌ、信号変換回路３０２Ｌ、駆動回路３０３Ｌは、上述のハイサイドドライバを構成する相補信号生成回路３０１Ｈ、信号変換回路３０２Ｈ、駆動回路３０３Ｈとそれぞれ同様に構成される。即ち、信号生成回路３０１Ｌは、変調回路２００から出力されたＰＷＭ信号の逆相信号Ｌ１および同相信号Ｌ２を生成するもので、バッファＢ２１，Ｂ２２，Ｂ２３から構成され、これらバッファは上述の信号生成回路３０１Ｈを構成するバッファＢ１１，Ｂ１２，Ｂ１３にそれぞれ対応する。ただし、バッファＢ１２，Ｂ１３がそれぞれ正論理入力型および負論理入力型であるのに対し、バッファＢ２２，Ｂ２３はそれぞれ負論理入力型および正論理入力型となっている。
【００２９】
また、信号変換回路３０２Ｌは、抵抗Ｒ２１，Ｒ２２，Ｒ２３，Ｒ２４、およびバイアス回路Ｐ２１から構成され、これらは上述の信号変換回路３０２Ｈを構成する抵抗Ｒ１１，Ｒ１２，Ｒ１３，Ｒ１４、およびバイアス回路Ｐ１１にそれぞれ対応する。ただし、バイアス回路Ｐ２１は、負電源ＶＰＰ−を基準として、電源ＶＤＤの２分の１に相当する電圧ＶＲ２を発生する。さらに、駆動回路３０３Ｌは、コンパレータＣＭ２、バッファＢ２４Ａ〜Ｂ２４Ｃ、および内部電源Ｐ２２から構成され、これらは上述の駆動回路３０３Ｈを構成するコンパレータＣＭ１、バッファＢ１４Ａ〜Ｂ１４Ｃ、内部電源Ｐ１２にそれぞれ対応する。ここで、コンパレータＣＭ２の出力部はバッファＢ２４Ａ〜Ｂ２４Ｃの入力部に共通接続され、これらバッファＢ２４Ａ〜Ｂ２４Ｃの出力部はパワーＭＯＳトランジスタ４０２Ａ〜４０２Ｃのゲートにそれぞれ接続される。内部電源Ｐ２２は、パワーＭＯＳトランジスタ４０２Ａ〜４０２Ｃのソース電圧（即ち負電源ＶＰＰ−）を基準として電源ＶＤＤに相当する電圧ＶＤ２を発生し、コンパレータＣＭ２およびバッファＢ２４Ａ〜Ｂ２４Ｃに供給する。
【００３０】
続いて、図４を参照して、駆動回路３０３Ｈ，３０３Ｌの具体的な構成を説明する。同図に示す半導体装置３０３ＨＡ〜３０３ＨＣ，３０３ＬＡ〜３０３ＬＣは、Ｄ級増幅器ＤＡＭＰの出力段に設けられたパワーＭＯＳトランジスタ４０１Ａ〜４０１Ｃ，４０２Ａ〜４０２Ｃを駆動するためのドライバとして機能するものであって、半導体装置３０３ＨＡ〜３０３ＨＣは、上述のハイサイドドライバ内の駆動回路３０３Ｈを構成し、半導体装置３０３ＬＡ〜３０３ＬＣはローサイドドライバ内の駆動回路３０３Ｌを構成する。
なお、図４において図２に示す要素と共通する要素には同一符号を付す。
【００３１】
半導体装置３０３ＨＡは、コンパレータＣＭおよびバッファＢＦから構成され、入力端子ＴＩＮＰ，ＴＩＮＮ，ＴＣＫＩＮおよび出力端子ＴＯＵＴ，ＴＣＫＯＵＴが設けられている。入力端子ＴＩＮＰおよび入力端子ＴＩＮＮには、コンパレータＣＭの非反転入力部（＋）および反転入力部（−）がそれぞれ接続され、このコンパレータＣＭの出力部は出力端子ＴＣＫＯＵＴに接続される。入力端子ＴＣＫＩＮは、コンパレータＣＭの出力信号に相当する信号を外部から入力するためのものであり、この入力端子ＴＣＫＩＮにはバッファＢＦの入力部が接続され、このバッファＢＦの出力部には出力端子ＴＯＵＴが接続される。他の半導体装置３０３ＨＢ，３０３ＨＣ，３０３ＬＡ〜３０３ＬＣの構成は、半導体装置３０３ＨＡと同一である。
【００３２】
ここで、ハイサイドドライバ内の駆動回路３０３Ｈを構成する半導体装置３０３ＨＡの入力端子ＴＩＮＰ，ＴＩＮＮには、Ｄ級増幅器ＤＡＭＰの内部でＰＷＭ変調されたパルス信号の同相信号Ｈ３および逆相信号Ｈ４がそれぞれ与えられる。また、出力端子ＴＣＫＯＵＴと入力端子ＴＣＫＩＮとが配線を介して接続され、さらに、出力端子ＴＯＵＴにはパワーＭＯＳトランジスタ４０１Ａのゲート（複数の出力用トランジスタの何れか一つのゲート）が接続される。
【００３３】
また、半導体装置３０３ＨＢの入力端子ＴＩＮＰ，ＴＩＮＮは前述の所定電圧ＶＤ１に固定され、入力端子ＴＣＫＩＮは半導体装置３０３ＨＡをなす出力端子ＴＣＫＯＵＴに接続され、出力端子ＴＯＵＴにはパワーＭＯＳトランジスタ４０１Ｂのゲート（複数の出力用トランジスタの他のゲート）が接続される。半導体装置３０３ＨＣの入力端子ＴＩＮＰ，ＴＩＮＮは所定電圧ＶＤ１に固定され、入力端子ＴＣＫＩＮは半導体装置３０３ＨＡをなす出力端子ＴＣＫＯＵＴに接続され、出力端子ＴＯＵＴにはパワーＭＯＳトランジスタ４０１Ｃのゲート（複数の出力用トランジスタの他のゲート）が接続される。
【００３４】
また、半導体装置３０３ＨＡ〜３０３ＨＣのグランド端子ＴＶＳＳは出力端子ＴＯに共通に接続され、図示しない各電源端子には前述の内部電源Ｐ１２の正電極が接続され、コンパレータＣＭおよびバッファＢＦは内部電源Ｐ１２により給電される。
上述のように半導体装置３０３ＨＡ〜３０３ＨＣにより駆動回路３０３Ｈを構成した場合、図４に示す半導体装置３０３ＨＡ内のコンパレータＣＭと、この半導体装置３０３ＨＡ内のバッファＢＦと、別の半導体装置３０３ＨＢ内のバッファＢＦと、さらに別の半導体装置３０３ＨＣ内のバッファＢＦ（図示なし）は、図２に示す駆動回路３０３Ｈ内のコンパレータＣＭ１、バッファＢ１４Ａ、バッファＢ１４Ｂ、バッファＢ１４Ｃにそれぞれ相当する。
【００３５】
上述のハイサイドドライバと同様に、ローサイドドライバ内の駆動回路３０３Ｌを構成する半導体装置３０３ＬＡの入力端子ＴＩＮＰ，ＴＩＮＮには、逆相信号Ｌ３および同相信号Ｌ４がそれぞれ与えられる。また、出力端子ＴＣＫＯＵＴが入力端子ＴＣＫＩＮと配線を介して接続され、出力端子ＴＯＵＴにはパワーＭＯＳトランジスタ４０２Ａのゲートが接続される。半導体装置３０３ＬＢの入力端子ＴＩＮＰ，ＴＩＮＮは前述の所定電圧ＶＤ２に固定され、入力端子ＴＣＫＩＮは半導体装置３０３ＬＡの出力端子ＴＣＫＯＵＴに接続され、出力端子ＴＯＵＴにはパワーＭＯＳトランジスタ４０２Ｂのゲートが接続される。半導体装置３０３ＬＣも半導体装置３０３ＬＢと同様である。
【００３６】
ただし、半導体装置３０３ＬＣの出力端子ＴＯＵＴはパワーＭＯＳトランジスタ４０２Ｃのゲートに接続される。半導体装置３０３ＬＡ〜３０３ＬＣのグランド端子ＴＶＳＳは負電源ＶＰＰ−に共通に接続され、各電源端子には前述の内部電源Ｐ２２の正電極が接続される。
上述のように半導体装置３０３ＬＡ〜３０３ＬＣにより駆動回路３０３Ｌを構成した場合、図４に示す半導体装置３０３ＬＡ内のコンパレータＣＭと、この半導体装置３０３ＬＡ内のバッファＢＦと、別の半導体装置３０３ＬＢ内のバッファＢＦ（図示なし）と、さらに別の半導体装置３０３ＬＣ内のバッファＢＦ（図示なし）は、図２に示す駆動回路３０３Ｌ内のコンパレータＣＭ２、バッファＢ２４Ａ、バッファＢ２４Ｂ、バッファＢ２４Ｃにそれぞれ相当する。
【００３７】
以下、この実施の形態の動作について説明する。この説明では、図２に示す駆動制御回路３００に着目して全体動作を説明した後、駆動制御回路３００内の駆動回路３０３Ｈ，３０３Ｌを構成する図４に示す半導体装置３０３ＨＡ〜３０３ＨＣ，３０３ＬＡ〜３０３ＬＣの動作を説明する。
（Ａ）駆動制御回路３００の動作
駆動制御回路３００内のハイサイドドライバの動作を、図５に示す波形図を参照して説明する。図５では、変調回路２００から出力されたＰＷＭ信号は、同相信号Ｈ１と位相が同一であるから、同相信号Ｈ１の波形を流用して表現している。図２に示す信号生成回路３０１Ｈは、前述の変調回路２００から出力されたＰＷＭ信号に応答して、このＰＷＭ信号と同じ位相を有する同相信号Ｈ１と、逆の位相を有する逆相信号Ｈ２を生成する。換言すれば、相補信号生成回路３０１Ｈは、ＰＷＭ信号の信号レベルを同相信号Ｈ１と逆相信号Ｈ２との信号レベルの組み合わせに変換し、これら信号レベルの大小関係として表現し直す。
【００３８】
図５に示す波形図では、初期状態において、変調回路２００から出力されたＰＷＭ信号はハイレベルにあり、これを入力する相補信号生成回路３０１Ｈは、同相信号Ｈ１としてハイレベルを出力し、逆相信号Ｈ２としてローレベルを出力する。従って、初期状態において同相信号Ｈ１と逆相信号Ｈ２との間には、電源ＶＤＤに相当するレベル差が存在し、同相信号Ｈ１が逆相信号Ｈ２よりも電源ＶＤＤに相当する電圧分だけ高くなっている。
【００３９】
相補信号生成回路３０１Ｈから出力された同相信号Ｈ１と逆相信号Ｈ２は、信号変換回路３０２Ｈを構成する抵抗Ｒ１１，Ｒ１２を介し、同相信号Ｈ３および逆相信号Ｈ４として駆動回路３０３Ｈ側に供給される。このとき、駆動回路３０３Ｈを構成するコンパレータＣＭ１の入力部は、抵抗Ｒ１３，Ｒ１４を介してバイアス回路Ｐ１１に接続されているので、同相信号Ｈ３の信号レベルは、バイアス回路Ｐ１１が発生する電圧ＶＲ１と同相信号Ｈ１との間の電位差を抵抗Ｒ１１，Ｒ１３により分圧して得られる電圧を示し、逆相信号Ｈ４の信号レベルは、電圧ＶＲ１と逆相信号Ｈ２との間の電位差を抵抗Ｒ１２，Ｒ１４により分圧して得られる電圧を示す。従って、同相信号Ｈ３および逆相信号Ｈ４は、大小関係を維持したまま電圧ＶＲ１に追従して変化するものとなる。
【００４０】
駆動回路３０３ＨのコンパレータＣＭ１は、同相信号Ｈ３と逆相信号Ｈ４との大小関係に応じた信号レベルを出力する。初期状態では、同相信号Ｈ３が逆相信号Ｈ４よりも信号レベルが大きいので、コンパレータＣＭ１はハイレベルを出力し、これを入力するバッファＢ１４Ａ〜Ｂ１４Ｃは、パワーＭＯＳトランジスタ４０１Ａ〜４０１Ｃのソースを基準として電源（ＶＤ１＝）ＶＤＤに相当する信号レベルを有する信号Ｈ５（Ｈ５Ａ〜Ｈ５Ｃ）を各ゲートに出力する。これにより、パワーＭＯＳトランジスタ４０１Ａ〜４０１Ｃはオン状態となる。後述するように、パワーＭＯＳトランジスタ４０１Ａ〜４０１ＣとパワーＭＯＳトランジスタ４０２Ａ〜４０２Ｃは相補的に導通するように制御されるから、パワーＭＯＳトランジスタ４０１Ａ〜４０１Ｃがオン状態になると、パワーＭＯＳトランジスタ４０２Ａ〜４０２Ｃがオフ状態となり、出力信号ＯＵＴの信号レベル（即ちソース電圧ＶＳ）が正電源ＶＰＰ＋の電源電圧にまで上昇する。
【００４１】
このとき、駆動回路３０３Ｈは、内部電源Ｐ１２から、ソース電圧ＶＳを基準とした電圧ＶＤ１を供給されるので、この駆動回路３０３Ｈの電源系がパワーＭＯＳトランジスタ４０１Ａ〜４０１Ｃのソース電圧ＶＳに追従して上昇する。このため、コンパレータＣＭ１の入力閾値もソース電圧ＶＳと共に上昇するが、バイアス回路Ｐ１１が発生する電圧ＶＲ１もソース電圧ＶＳに追従して上昇するので、同相信号Ｈ３と逆相信号Ｈ４の各信号レベルは駆動回路３０３ＨをなすコンパレータＣＭ１の入力特性に適合した状態を維持し、従ってパワーＭＯＳトランジスタ４０１はオン状態に維持される。この状態では、信号Ｈ５の信号レベルは正電源ＶＰＰ＋より電圧ＶＤ１（＝ＶＤＤ）分だけ高い状態となる。
【００４２】
即ち、内部電源Ｐ１２は、図３に示す内部電源Ｐ１１と同様に構成されているので、出力信号ＯＵＴの信号レベルが正電源ＶＰＰ＋にまで上昇すると、安定化コンデンサＰＣに相当するコンデンサを介して電圧ＶＤ１が昇圧され、これを受けて信号Ｈ５の信号レベルが正電源ＶＰＰ＋より電圧ＶＤ１（＝ＶＤＤ）分だけ高くなる。この状態では、図３に示す抵抗ＰＲに相当する抵抗の存在により電圧ＶＤ１は正電源ＶＰＰ＋の電圧に低下しようとするが、この種の増幅器では出力信号ＯＵＴの周波数が高いので、安定化コンデンサＰＣに相当するコンデンサにより、電圧ＶＤ１が昇圧された状態に維持され、信号Ｈ５の信号レベルが正電源ＶＰＰ＋よりも高い状態に維持される。
【００４３】
一方のローサイドドライバでは、初期状態においてハイレベルにあるＰＷＭ信号を入力する相補信号生成回路３０１Ｌは、逆相信号Ｌ１としてローレベルを出力し、同相信号Ｌ２としてハイレベルを出力する。従って、初期状態では逆相信号Ｌ１と同相信号Ｌ２との間には、その大小関係に応じて電源ＶＤＤに相当するレベル差が存在し、逆相信号Ｌ１が同相信号Ｌ２よりも電源ＶＤＤに相当する電圧分だけ低くなっている。
【００４４】
相補信号生成回路３０１Ｌから出力された逆相信号Ｌ１と同相信号Ｌ２は、信号変換回路３０２Ｌを構成する抵抗Ｒ２１，Ｒ２２を介して逆相信号Ｌ３および同相信号Ｌ４として駆動回路３０３Ｌ側に供給される。このとき、逆相信号Ｌ３の信号レベルは、バイアス回路Ｐ２１が発生する電圧ＶＲ２と逆相信号Ｌ１との間の電位差を抵抗Ｒ２１，Ｒ２３により分圧して得られた電圧を示し、同相信号Ｌ４の信号レベルは、電圧ＶＲ２と同相信号Ｌ２との間の電位差を抵抗Ｒ２２，Ｒ２４により分圧して得られた電圧を示す。従って、逆相信号Ｌ３および同相信号Ｌ４は、大小関係を維持したまま電圧ＶＲ２に追従して低下する。
【００４５】
駆動回路３０３ＬのコンパレータＣＭ２は、初期状態では逆相信号Ｌ３が同相信号Ｌ４よりも信号レベルが小さいのでローレベルを出力し、これを入力するバッファＢ２４は、パワーＭＯＳトランジスタ４０２のソース電圧（ＶＰＰ−）に等しい信号レベルを有する信号Ｌ５をそのゲートに出力する。このため、パワーＭＯＳトランジス４０２はオフ状態となる。
このとき、内部電源Ｐ２２は、負電源ＶＰＰ−を基準とした電圧ＶＤ２を発生している。従って、駆動回路３０３Ｌの電源系は低い状態にあり、この駆動回路３０３Ｌの入力閾値が低下した状態にある。しかし、バイアス回路Ｐ２１が発生する電圧ＶＲ２もパワーＭＯＳトランジスタ４０１のソース電圧に追従して低下した状態にあるため、逆相信号Ｌ３と同相信号Ｌ４の各信号レベルは駆動回路３０３ＬをなすコンパレータＣＭ１の入力特性に適合したものとなり、パワーＭＯＳトランジスタ４０２はオフ状態に維持される。
従って、初期状態では、パワーＭＯＳトランジスタ４０１がオン状態となり、パワーＭＯＳトランジスタ４０２がオフ状態となって、出力信号ＯＵＴとして正電源ＶＰＰ＋の電圧に相当するハイレベルが出力端子ＴＯに出力された状態となっている。
【００４６】
このような初期状態から、図５に示す時刻ｔ１においてＰＷＭ信号がローレベルに遷移すると、これに応答して同相信号Ｈ１がローレベルとなり逆相信号Ｈ２がハイレベルになる。このため、同相信号Ｈ１と逆相信号Ｈ２との大小関係が逆転し、時刻ｔ２において同相信号Ｈ３と逆相信号Ｈ４の大小関係も逆転する。従って、同相信号Ｈ３と逆相信号Ｈ４を入力するコンパレータＣＭ１の出力信号がハイレベル（正電源ＶＰＰ＋より電圧ＶＤ１分だけ高い電圧状態）からローレベル（正電源ＶＰＰ＋に相当する電圧状態）に変化し、これを入力するバッファＢ１４Ａ〜Ｂ１４Ｃの出力信号Ｈ５Ａ〜Ｈ５Ｃもローレベル（正電源ＶＰＰ＋に相当する電圧状態）に変化する。この結果、パワーＭＯＳトランジスタ４０１Ａ〜４０１Ｃのゲート電圧がソース電圧ＶＳ（＝正電源ＶＰＰ＋）と等しくなり、これらパワーＭＯＳトランジスタ４０１Ａ〜４０１Ｃがオフ状態となる。
【００４７】
一方、時刻ｔ１においてＰＷＭ信号がローレベルに遷移すると、これに応答して逆相信号Ｌ１がハイレベルとなり、同相信号Ｌ２がローレベルになる。このため、逆相信号Ｌ１と同相信号Ｌ２との大小関係が逆転し、これに応じて逆相信号Ｌ３と同相信号Ｌ４の大小関係も逆転する。したがって、コンパレータＣＭ２の出力信号がローレベル（負電源ＶＰＰ−に相当する電圧状態）からハイレベル（負電源ＶＰＰ−より電圧ＶＤ２分だけ高い電圧状態）に変化し、これを入力するバッファＢ２４Ａ〜Ｂ２４Ｃの出力信号Ｌ５Ａ〜Ｌ５Ｃもハイレベルに変化する。この結果、パワーＭＯＳトランジスタ４０２Ａ〜４０２Ｃのゲート電圧がソース電圧に対して電圧ＶＤ２だけ高くなり、これらパワーＭＯＳトランジスタ４０２Ａ〜４０２Ｃがオン状態となる。
【００４８】
パワーＭＯＳトランジスタ４０２Ａ〜４０２Ｃがオン状態になると、パワーＭＯＳトランジスタ４０１Ａ〜４０１Ｃのソース電圧ＶＳは（出力信号ＯＵＴに伴って）低下し、これを基準として内部電源Ｐ１２が発生する電圧ＶＤ１も低下する。このとき、バイアス回路Ｐ１１が発生する電圧ＶＲ１もパワーＭＯＳトランジスタ４０１のソース電圧ＶＳの変化に伴って低下するので、同相信号Ｈ１と逆相信号Ｈ２の大小関係が維持されたまま、これら信号レベルが駆動回路３０３Ｈの電源系と共に低下する。従って、コンパレータＣＭ１が出力する信号レベルはローレベル（ソース電圧ＶＳ）を維持する。よって、出力信号ＯＵＴがローレベル（負電源ＶＰＰ−）に遷移する過程において、パワーＭＯＳトランジスタ４０１Ａ〜４０１Ｃはオフ状態を維持する。
以上により、初期状態から時刻ｔ１においてＰＷＭ信号がローレベルに遷移すると、一方のパワーＭＯＳトランジスタ４０１Ａ〜４０１Ｃがオフ状態となり、他方のパワーＭＯＳトランジスタ４０２Ａ〜４０２Ｃがオン状態となって、出力信号ＯＵＴが正電源ＶＰＰ＋から負電源ＶＰＰ−に遷移し、出力端子ＴＯにローレベルが出力される。
【００４９】
次に、時刻ｔ３においてＰＷＭ信号がハイレベルに回復すると、これに応答して時刻ｔ４においてハイサイドドライバ側の同相信号Ｈ３がハイレベルとなり逆相信号Ｈ４がローレベルとなる。従って、これら同相信号Ｈ３と逆相信号Ｈ４を入力するコンパレータＣＭ１はハイレベルを出力し、パワーＭＯＳトランジスタ４０１Ａ〜４０１Ｃがオン状態となる。一方のローサイドドライバ側では、逆相信号Ｌ３がローレベルになり、同相信号Ｌ４がハイレベルになる。従って、これら逆相信号Ｌ３と同相信号Ｌ４を入力するコンパレータＣＭ２はローレベルを出力し、パワーＭＯＳトランジスタ４０２Ａ〜４０２Ｃがオフ状態となる。
【００５０】
ここで、パワーＭＯＳトランジスタ４０１Ａ〜４０１Ｃがオン状態になると、そのソース電圧ＶＳが（出力信号ＯＵＴに伴って）上昇し、これを基準として内部電源Ｐ１２が発生する電圧ＶＤ１も上昇する。しかし、バイアス回路Ｐ１１が発生する電圧ＶＲ１もソース電圧ＶＳに追従して上昇し、同相信号Ｈ１と逆相信号Ｈ２の大小関係が維持されるので、コンパレータＣＭ１が出力する出力信号の信号レベルはハイレベル（ソース電圧ＶＳに対して電圧ＶＤ１分だけ高い電圧状態）を保つ。従って、出力信号ＯＵＴがハイレベルに遷移する過程において、パワーＭＯＳトランジスタ４０１Ａ〜４０１Ｃはオン状態を維持する。
以上により、時刻ｔ３においてＰＷＭ信号がハイレベルになると、パワーＭＯＳトランジスタ４０１Ａ〜４０１Ｃがオン状態となり、パワーＭＯＳトランジスタ４０２Ａ〜４０２Ｃがオフ状態となって、出力信号ＯＵＴとして正電源ＶＰＰ＋に相当するハイレベルが出力端子ＴＯに出力される。
【００５１】
（Ｂ）半導体装置３０３ＨＡ等の動作
次に、ハイサイドドライバ内の駆動回路３０３Ｈを構成する図４に示す半導体装置３０３ＨＡ〜３０３ＨＣの動作について、図６に示す波形図を参照して説明する。図６は、図５に示す時刻ｔ４で同相信号Ｈ３と逆相信号Ｈ４が切り替わった場合に半導体装置３０３ＨＡ〜３０３ＨＣから出力される信号ＳＡ〜ＳＣの波形を示す。説明の便宜上、図６では、グランド端子ＴＶＳＳの電位を一定とし、ソース電圧ＶＳを与える出力信号ＯＵＴの変化を無視している。また、同図において、応答時間ｔｄ１は、コンパレータＣＭにおける遅延時間を表し、応答時間ｔｄ２はバッファＢＦにおける遅延時間を表す。
【００５２】
図６において、時刻ｔ４までは信号Ｈ３および信号Ｈ４はそれぞれローレベルおよびハイレベルにあり、図４に示す半導体装置３０３ＨＡ，３０３ＨＢ，３０３ＨＣ内の各バッファＢＦから信号ＳＡ，ＳＢ，ＳＣとしてローレベルが出力されている。この状態から、時刻ｔ４において信号Ｈ３，Ｈ４の信号レベルが切り替わると、これら信号Ｈ３，Ｈ４を入力する半導体装置３０３ＨＡ内のコンパレータＣＭ（図２に示すコンパレータＣＭ１）が、応答時間ｔｄ１を経た後に出力端子ＴＣＫＯＵＴを介し信号ＳＫとしてハイレベルを出力する。この信号ＳＫは半導体装置３０３ＨＡの出力端子ＴＣＫＯＵＴから入力端子ＴＣＫＩＮに与えられると共に、他の半導体装置３０３ＨＢ，３０３ＨＣの入力端子ＴＣＫＩＮに共通に与えられる。従って、半導体装置３０３ＨＡ内のコンパレータＣＭから、半導体装置３０３ＨＡ，３０３ＨＢ，３０３ＨＣ内の各バッファＢＦの入力部に信号ＳＫが共通に与えられ、この信号ＳＫがハイレベルに遷移してから各バッファＢＦの応答時間ｔｄ２を経た後に、信号ＳＡ，ＳＢ，ＳＣとしてハイレベルが出力される。
【００５３】
ここで、３個の半導体装置３０３ＨＡ，３０３ＨＢ，３０３ＨＣを用いてパワーＭＯＳトランジスタ４０１Ａ，４０１Ｂ，４０１Ｃを駆動しているので、これらパワーＭＯＳトランジスタのスイッチングのタイミングは各半導体装置の特性のバラツキの影響を受け、各スイッチングのタイミングにずれが発生する。この点について検討すると、半導体装置３０３ＨＡ内の１個のコンパレータＣＭは各半導体装置内のバッファで共通に用いられているので、このコンパレータＣＭの応答時間は信号ＳＡ，ＳＢ，ＳＣに等しく反映される。このため、半導体装置３０３ＨＡ内のコンパレータＣＭの応答時間ｔｄ１が各スイッチングのタイミングのずれの原因を与えることはない。
【００５４】
これに対し、半導体装置３０３ＨＡ，３０３ＨＢ，３０３ＨＣ内の各バッファＢＦの応答時間ｔｄ２は、信号ＳＡ，ＳＢ，ＳＣに個別に反映されるので、これらバッファの特性のバラツキが、パワーＭＯＳトランジスタ４０１Ａ〜４０１Ｃのスイッチングのタイミングのずれとなって現れる。
しかしながら、一般にバッファＢＦの応答時間ｔｄ２はコンパレータＣＭの応答時間ｔｄ１に対して十分に小さな値をとる。一例として、コンパレータＣＭの応答時間ｔｄ１が数１００ナノ秒程度であるのに対し、バッファＢＦの応答時間ｔｄ２は数１０ナノ秒程度である。このため、半導体装置３０３ＨＡ，３０３ＨＢ，３０３ＨＣ内の各バッファＢＦの応答時間ｔｄ２にバラツキが存在していても、そのバラツキは小さい。従って、パワーＭＯＳトランジスタ４０１Ａ〜４０１Ｃのスイッチングのタイミングのずれが小さく抑えられる。
【００５５】
このように、各パワーＭＯＳトランジスタ間でスイッチングのタイミングのずれが小さくなると、パワーＭＯＳトランジスタ４０１Ａ〜４０１Ｃがオフ状態からほぼ同時的にオン状態に移行することとなり、出力電流が各トランジスタに均等に分散される。従って、通常の電流容量のパワーＭＯＳトランジスタを用いて大出力に対応することが可能になる。また、１個のパワーＭＯＳトランジスタに出力電流が集中することがなくなるので、仮に出力段に高耐圧のパワーＭＯＳトランジスタを用いたとしても、パワーＭＯＳトランジスタのオン抵抗に起因する損失を有効に抑えることが可能になる。
なお、ローサイドドライバ内の駆動回路３０３Ｌを構成する半導体装置ＬＡ〜ＬＣの動作については、基本的には上述の半導体装置３０３ＨＡ〜３０３ＨＣと同様であるので省略する。
【００５６】
【発明の効果】
以上説明したように、この発明によれば、Ｄ級増幅器の内部でＰＷＭ変調されたパルス信号の同相信号および逆相信号をそれぞれ入力する第１および第２の入力端子に入力部が接続されると共に出力部が第２の出力端子に接続されたコンパレータと、入力部が第３の入力端子に接続されると共に出力部が第１の出力端子に接続されたバッファとを備えたので、Ｄ級増幅器の出力段に互いに並列接続して設けられた複数のパワーＭＯＳトランジスタをほぼ同時的にスイッチングさせるようにパワーＭＯＳトランジスタの駆動回路を構成することが可能になる。
【００５７】
また、第１の半導体装置において、第１および第２の入力端子に同相信号および逆相信号を与え、第１の出力端子と第３の入力端子とを接続し、第２の出力端子に出力用トランジスタの何れか一つのゲートを接続し、第２の半導体装置において、第１および第２の入力端子に所定の電圧を共通に与え、第３の入力端子に第１の半導体装置をなす第１の出力端子を接続し、第２の出力端子に他の出力用トランジスタのゲートを接続したので、Ｄ級増幅器の出力段に互いに並列接続して設けられた複数のパワーＭＯＳトランジスタがスイッチングするタイミングのずれを小さく抑えることが可能になる。
【図面の簡単な説明】
【図１】この発明の実施の形態に係るＤ級増幅器の構成図である。
【図２】この発明の実施の形態に係る駆動制御回路の構成図である。
【図３】この発明の実施の形態に係るバイアス回路の構成図である。
【図４】この発明の実施の形態に係る駆動回路および該駆動回路をなす半導体装置の構成図である。
【図５】この発明の実施の形態に係るＤ級増幅器の動作を説明するための波形図である。
【図６】この発明の実施の形態に係る駆動回路をなす半導体装置の動作を説明するための波形図である。
【図７】従来技術に係るＤ級増幅器の構成図である。
【符号の説明】
１００：入力段、２００：変調回路、３００：駆動制御回路、３０１Ｈ，３０１Ｌ：信号生成回路、３０２Ｈ，３０２Ｌ：信号変換回路、３０３Ｈ，３０３Ｌ：駆動回路、３０３ＨＡ，３０３ＨＢ，３０３ＨＣ，３０３ＬＡ，３０３ＬＢ，３０３ＬＣ：半導体装置、４０１Ａ，４０１Ｂ，４０１Ｃ，４０２Ａ，４０２Ｂ，４０２Ｃ：パワーＭＯＳトランジスタ、Ｂ１１，Ｂ１２，Ｂ１３，Ｂ１４Ａ，Ｂ１４Ｂ，Ｂ１４Ｃ，Ｂ２１，Ｂ２２，Ｂ２３，Ｂ２４Ａ，Ｂ２４Ｂ，Ｂ２４Ｃ，ＢＦ：バッファ、ＣＭ，ＣＭ１，ＣＭ２：コンパレータ、ＤＡＭＰ：Ｄ級増幅器、Ｐ１１，Ｐ２１：バイアス回路、Ｐ１２，Ｐ２２：内部電源、Ｒ１１，Ｒ１２，Ｒ１３，Ｒ１４，Ｒ２１，Ｒ２２，Ｒ２３，Ｒ２４：抵抗、ＴＩＮＰ，ＴＩＮＮ，ＴＣＫＩＮ：入力端子、ＴＯＵＴ，ＴＣＫＯＵＴ：出力端子、ＴＶＳＳ：グランド端子。
【図１】
2004056211.tif 000003
【図２】
2004056211.tif 000004
【図３】
2004056211.tif 000005
【図４】
2004056211.tif 000006
【図５】
2004056211.tif 000007
【図６】
2004056211.tif 000008
【図７】
2004056211.tif 000009